(57)【要約】【課題】複数個のワイヤードラムをコンパクトに配置することができ、狭い乗場床の平面積を有効に使用できるエレベータの主ロープドラム繰出し装置及びその主ロープドラム繰出し方法を得る。【解決手段】昇降路内に昇降可能に配置されたかごと釣合おもりとの間を連結する主ロープを張る作業を行う際に用いられるものにおいて、床上に立設された支柱と、この支柱の下部に回動自在に取り付けられ、かつ複数個のワイヤードラムを回転自在に取り付けたアームと、支柱とアームとの間に設けられ、主ロープの繰出し時にアームを牽引してワイヤードラムを地切りするチェーンブロックとを備える。また、アームの先端に回転自在に連結され、ワイヤードラムを回転自在に吊上げるドラム治具を設ける。【選択図】  図１
2005022797.tif 000002
【特許請求の範囲】
【請求項１】
昇降路内に昇降可能に配置されたかごと釣合おもりとの間を連結する主ロープを張る作業を行う際に用いられるエレベータの主ロープドラム繰出し装置において、床上に立設された支柱と、この支柱の下部に回動自在に取り付けられ、かつ複数個のワイヤードラムを回転自在に取り付けたアームと、上記支柱とアームとの間に設けられ、主ロープの繰出し時に上記アームを牽引して上記ワイヤードラムを地切りするチェーンブロックとを備えたことを特徴とするエレベータの主ロープドラム繰出し装置。
【請求項２】
昇降路内に昇降可能に配置されたかごと釣合おもりとの間を連結する主ロープを張る作業を行う際に用いられるエレベータの主ロープドラム繰出し装置において、床上に立設された支柱と、この支柱の下部に回動自在に取り付けられ、かつ複数個のワイヤードラムを回転自在に取り付けたアームと、このアームの先端に回転自在に連結され、ワイヤードラムを回転自在に吊上げるドラム治具と、上記支柱とアームとの間に設けられ、主ロープの繰出し時に上記アームを牽引して上記ワイヤードラムを地切りするチェーンブロックとを備えたことを特徴とするエレベータの主ロープドラム繰出し装置。
【請求項３】
支柱の下部に複数個のアーム取付孔を上下方向に高さ位置を変えて設けたことを特徴とする請求項１又は請求項２記載のエレベータの主ロープドラム繰出し装置。
【請求項４】
チェーンブロックによりアームを牽引した主ロープの繰出し時、ドラム治具により吊上げられたワイヤードラムの上方にアームに取り付けられたワイヤードラムが重なって位置することを特徴とする請求項２記載のエレベータの主ロープドラム繰出し装置。
【請求項５】
支柱を中心として、その左右両側に主ロープドラム繰出し装置を線対称となるように配置したことを特徴とする請求項１〜請求項４に記載のエレベータの主ロープドラム繰出し装置。
【請求項６】
昇降路内に昇降可能に配置されたかごと釣合おもりとの間を連結する主ロープを張る作業を行う際に用いられるエレベータの主ロープドラム繰出し方法において、床上に立設される支柱と、この支柱の下部に回動自在に取り付けられ、かつ複数個のワイヤードラムを回転自在に取り付けるアームと、上記支柱とアームとの間に設けられるチェーンブロックとを有し、上記複数個のワイヤードラムを上記アームに回転自在に取り付ける工程と、上記チェーンブロックによりアームを牽引して上記ワイヤードラムを地切りする工程と、地切りされた上記ワイヤードラムから複数本の主ロープを繰出す工程とを備えたことを特徴とするエレベータの主ロープドラム繰出し方法。
【請求項７】
昇降路内に昇降可能に配置されたかごと釣合おもりとの間を連結する主ロープを張る作業を行う際に用いられるエレベータの主ロープドラム繰出し方法において、床上に立設された支柱と、この支柱の下部に回動自在に取り付けられ、かつ複数個のワイヤードラムを回転自在に取り付けたアームと、上記支柱とアームとの間に設けられ、主ロープの繰出し時に上記アームを牽引して上記ワイヤードラムを地切りするチェーンブロックと、上記支柱の下部に上下方向に高さ位置を変えて設けた複数個のアーム取付孔とを備え、使用するワイヤードラムのドラム径に合わせて、それに対応するアーム取付孔にアームを取り付けて用いることを特徴とするエレベータの主ロープドラム繰出し方法。
【発明の詳細な説明】
【０００１】
【発明の属する技術分野】
この発明はエレベータのかごと釣合おもりとの間を連結するエレベータの主ロープドラム繰出し装置及びその主ロープドラム繰出し方法に関するものである。
【０００２】
【従来の技術】
従来のエレベータの主ロープドラム繰出し装置は、主ロープを繰出すワイヤードラムを１個セットできる装置が殆どである（例えば、特許文献１〜３参照）。複数本の主ロープを同時にロープ掛けするためには複数個のワイヤードラムをセットする必要がある。
【０００３】
【特許文献１】
特許第３１９３６４３号公報
【特許文献２】
特許第３２７７４８６号公報
【特許文献３】
特開平１１−３２２２２１号公報
【０００４】
【発明が解決しようとする課題】
エレベータのかごと釣合おもりとの間を連結する主ロープを張る作業において、据付作業効率を上げるため、複数本の主ロープ掛け作業が必要となる。その為には複数個のワイヤードラムが必要である。また、複数個のワイヤードラムをセットするので、例えば、１階乗場前付近は混雑するため、省スペースタイプの装置が要求される。
【０００５】
この発明は、上述のような課題を解決するためになされたもので、その目的は、複数個のワイヤードラムをコンパクトに配置することができ、狭い乗場床の平面積を有効に使用できるエレベータの主ロープドラム繰出し装置及びその主ロープドラム繰出し方法を提供するものである。
【０００６】
【課題を解決するための手段】
この発明に係るエレベータの主ロープドラム繰出し装置は、昇降路内に昇降可能に配置されたかごと釣合おもりとの間を連結する主ロープを張る作業を行う際に用いられるものにおいて、床上に立設された支柱と、この支柱の下部に回動自在に取り付けられ、かつ複数個のワイヤードラムを回転自在に取り付けたアームと、支柱とアームとの間に設けられ、主ロープの繰出し時にアームを牽引してワイヤードラムを地切りするチェーンブロックとを備えたものである。
【０００７】
この発明に係るエレベータの主ロープドラム繰出し方法は、昇降路内に昇降可能に配置されたかごと釣合おもりとの間を連結する主ロープを張る作業を行う際に用いられるものにおいて、床上に立設される支柱と、この支柱の下部に回動自在に取り付けられ、かつ複数個のワイヤードラムを回転自在に取り付けるアームと、支柱とアームとの間に設けられるチェーンブロックとを有し、複数個のワイヤードラムをアームに回転自在に取り付ける工程と、チェーンブロックによりアームを牽引してワイヤードラムを地切りする工程と、地切りされたワイヤードラムから複数本の主ロープを繰出す工程とを備えたものである。
【０００８】
【発明の実施の形態】
実施の形態１．
図１はこの発明の実施の形態１におけるエレベータの主ロープドラム繰出し装置を用いた昇降路下部及び１階乗場を示す断面図、図２〜図４はこの発明の実施の形態１におけるエレベータの主ロープドラム繰出し装置を示す側面図であり、図２は複数個のワイヤードラムが乗場床上に置かれた状態、図３は複数個のワイヤードラムがチェーンブロックで引き揚げられた状態、図４は主ロープが繰出されている状態を示す。図５は図４のＢ部拡大図である。
図において、エレベータの昇降路下部は、ピット部１と、昇降路壁２と、昇降路内３と、最下階である１階の乗場床４とを備えている。１階の乗場床４には主ロープドラム繰出し装置５が設置されている。この主ロープドラム繰出し装置５は複数個のワイヤードラム６、７、８を備え、これらワイヤードラム６〜８にはそれぞれ主ロープ９が巻回され、主ロープ９は昇降路内３を上方へ引き上げられ、昇降路内３に昇降可能に配置されたかごと釣合おもり（図示せず）との間を綱車（図示せず）を介して連結する。
主ロープドラム繰出し装置５は、乗場床４上に垂直方向に立設された支柱１０と、この支柱と所定の間隔を置いて乗場床４上に垂直方向に立設された小柱１１と、上記支柱１０と小柱１１との間を連結する梁１２と、上記支柱１０の下部とワイヤードラム７、８との間に設けられ、上記支柱１０の下部に回動自在に取り付けられかつワイヤードラム７、８を先端部と中間部にそれぞれ回転自在に取り付けたへ字状のアーム１３と、このアーム１３の先端に回転自在に連結され、ワイヤードラム６を回転自在に吊上げるフック部１４ａを先端に有するドラム治具１４と、上記支柱１０と梁１２との間を連結する斜め筋交い１５と、上記支柱１０の上端部とアーム１３との間に斜めに掛けられたチェーンブロック１６と、上記支柱１０の中間部の反ワイヤードラム側に所定角度だけ回動可能に取り付けられたワイヤーロープガイド１７とから構成されている。また、上記支柱１０の下部に設けられたアーム取付部１８には、上下方向に高さ位置を変えて３個のアーム取付孔１８ａ〜１８ｃが設けられている。最上部のアーム取付孔１８ａはワイヤードラム６〜８のドラム径が６３０Φの場合に用いられ、中央部のアーム取付孔１８ｂはワイヤードラム６〜８のドラム径が５６０Φの場合に用いられ、最下部のアーム取付孔１８ｃはワイヤードラム６〜８のドラム径が５００Φの場合に用いられるものである。
主ロープドラム繰出し装置５は、図２に示すように、複数個の６３０Φ用ワイヤードラム６〜８は乗場床４上に置かれた状態で、ドラム治具１４の先端フック部１４ａと、アーム１３の先端部と、アーム１３のへ字状中間部とにそれぞれ回転自在に取り付けられている。この時は最上部のアーム取付孔１８ａが用いられている。次に、図２の状態からチェーンブロック１６によりアーム１３を牽引してワイヤードラム６〜８を引き揚げて、図３に示す状態にする。この際、特にワイヤードラム６は自由に回転ができるように乗場床４より地切り（巻上げにより荷重を地上から離すこと）する程度でよい。この時、ドラム治具１４により吊下げられたワイヤードラム６の上方にアーム１３に取り付けられた中央のワイヤードラム７が重なって位置するので、コンパクト化でき、狭い乗場床の平面積を有効に使用できる。また、ワイヤーロープガイド１７も図２の収納位置から図３の繰出し位置へと回動させ、この角度でワイヤードラム６〜８から複数本の主ロープ９を繰出す。なお、５６０Φ用ワイヤードラムを用いる場合はアーム取付孔１８ｂが用いられ、５００Φ用ワイヤードラムを用いる場合はアーム取付孔１８ｃが用いられる。また、図４は主ロープ９が繰出されている状態を示している。  更に、高昇降行程で、大きいドラム径に対しては、支柱１０、小柱１１、梁１２、アーム１３、斜め筋交い１５等を更に強度のあるものに変更し、アーム取付孔１８ａ〜１８ｃの位置を更に上部に移動すれば主ロープ９の繰出しが可能となる。
【０００９】
実施の形態２．
図６及び図７はこの発明の実施の形態２におけるエレベータの主ロープドラム繰出し装置を示す側面図であり、図６は２個のワイヤードラムが乗場床上に置かれた状態、図７は２個のワイヤードラムがチェーンブロックで引き揚げられ地切りされた状態を示す。
この実施の形態２では、２個のワイヤードラム１９、２０のドラム径が５００Φであるので、アーム１３は支柱１０の下部のアーム取付部１８の最下部のアーム取付孔１８ｃに回動自在に連結されている。そして、２個のワイヤードラム１９、２０がアーム１３の先端部と中間部にそれぞれ回転自在に取り付けられており、アーム１３の先端にドラム治具１４は無い。これ以外の構成は実施の形態１とほぼ同様である。
【００１０】
実施の形態３．
図８はこの発明の実施の形態３におけるエレベータの主ロープドラム繰出し装置を示す正面図である。実施の形態１及び２と同一部分は同一符号で示す。
この実施の形態３では、中央部の強度の大きな支柱３０の両側部に、２個の主ロープドラム繰出し装置３５を線対称にして配置構成したものである。ワイヤードラム３６、３６が支柱３０の両側に線対称となるようにそれぞれ設けられている。また、乗場床４上には柱受３７が支柱３０の両側に跨って水平に設置され、且つ上記支柱３０の中間部両側とその両側に位置する上記柱受３７の両端部との間を連結する斜め筋交い３８、３８がそれぞれ設けられており、これらにより主ロープドラム繰出し装置３５の平衡を保ち、転倒を防止している。
従って、この実施の形態３によれば、主ロープ９が２〜６本同時に繰出すことができる。
なお、７本以上の主ロープ９を同時に繰出す場合は、主ロープドラム繰出し装置５を更に１台以上追加すればよい。
【００１１】
【発明の効果】
この発明は以上説明したように、床上に立設された支柱と、この支柱の下部に回動自在に取り付けられ、かつ複数個のワイヤードラムを回転自在に取り付けたアームと、支柱とアームとの間に設けられ、主ロープの繰出し時にアームを牽引してワイヤードラムを地切りするチェーンブロックとを備えたので、複数個のワイヤードラムをコンパクトに配置することができ、狭い乗場床の平面積を有効に使用できる効果がある。
【図面の簡単な説明】
【図１】この発明の実施の形態１におけるエレベータの主ロープドラム繰出し装置を用いた昇降路下部及び１階乗場を示す断面図である。
【図２】この発明の実施の形態１におけるエレベータの主ロープドラム繰出し装置を示し、複数個のワイヤードラムが乗場床上に置かれた状態を示す側面図である。
【図３】この発明の実施の形態１におけるエレベータの主ロープドラム繰出し装置を示し、複数個のワイヤードラムがチェーンブロックで引き揚げられた状態を示す側面図である。
【図４】この発明の実施の形態１におけるエレベータの主ロープドラム繰出し装置を示し、主ロープが繰出されている状態を示す側面図である。
【図５】図４のＢ部拡大図である。
【図６】この発明の実施の形態２におけるエレベータの主ロープドラム繰出し装置を示し、２個のワイヤードラムが乗場床上に置かれた状態を示す側面図である。
【図７】この発明の実施の形態２におけるエレベータの主ロープドラム繰出し装置を示し、２個のワイヤードラムがチェーンブロックで引き揚げられ地切りされた状態を示す側面図である。
【図８】この発明の実施の形態３におけるエレベータの主ロープドラム繰出し装置を示す正面図である。
【符号の説明】
１  昇降路ピット部
２  昇降路壁
３  昇降路内
４  １階の乗場床
５、３５  主ロープドラム繰出し装置
６〜８、１９、２０、３６  ワイヤードラム
９  主ロープ
１０、３０  支柱
１１  小柱
１２  梁
１３  アーム
１４  ドラム治具
１４ａ  フック部
１５、３８  斜め筋交い
１６  チェーンブロック
１７  ワイヤーロープガイド
１８  アーム取付部
１８ａ〜１８ｃ  アーム取付孔
３７  柱受
【図１】
2005022797.tif 000003
【図２】
2005022797.tif 000004
【図３】
2005022797.tif 000005
【図４】
2005022797.tif 000006
【図５】
2005022797.tif 000007
【図６】
2005022797.tif 000008
【図７】
2005022797.tif 000009
【図８】
2005022797.tif 000010